(57)【要約】【課題】    センサ装置による監視状態を門扉の開閉に連動することにより、門扉開成状態における誤報の発生を低減することができ、既設の門扉にも簡単に取り付けることのできる門扉のセキュリティシステムを提供する。【解決手段】    門扉１が送信ユニット５Ａ、受信ユニット５Ｂ及び作動スイッチ６からなるセンサ装置５と、該センサ装置５からの信号により作動する警報装置７と、扉体の閉成位置を検出する検出装置８とを有し、通路部の両側位置で且つ扉体２よりも高い位置に送信ユニット５Ａと受信ユニット５Ｂを配設し、扉体２が閉成位置にある場合、検出装置８からの門扉閉成信号に基づいて作動スイッチ６を入状態にして扉体２の上方位置をセンサ装置５による監視状態とし、扉体２が閉成位置以外にある場合、作動スイッチ６を切状態にしてセンサ装置５による監視状態を解除する。【選択図】        図１
2005301716.tif 000002
【特許請求の範囲】
【請求項１】
通路部を開閉自在とした扉体により門扉が構成され、該門扉は、送信ユニット、受信ユニット及び作動スイッチからなるセンサ装置と、該センサ装置からの信号により作動する警報装置と、扉体の閉成位置を検出する検出装置とを有し、通路部の両側位置で且つ扉体よりも高い位置に送信ユニットと受信ユニットを配設し、扉体が閉成位置にある場合、検出装置からの門扉閉成信号に基づいて作動スイッチを入状態として扉体の上方位置をセンサ装置による監視状態とし、扉体が閉成位置以外にある場合、作動スイッチを切状態としてセンサ装置による監視状態を解除したことを特徴とする門扉のセキュリティシステム。
【請求項２】
検出装置が、被検出体と近接センサによって構成され、被検出体を扉体下部あるいは路面の何れか一方に設け、近接センサを扉体下部あるいは路面の他方に設け、扉体が閉成位置にある場合に被検出体を近接センサによって検出し、門扉閉成信号を作動スイッチに送信することを特徴とする請求項１に記載の門扉のセキュリティシステム。
【発明の詳細な説明】
【技術分野】
【０００１】
この発明は、防犯を目的とした門扉のセキュリティシステムに関するものであり、特に人、車両等の通行を許容している門扉開成状態における警報装置の誤報を低減すると共に、非監視状態から監視状態への切換操作を不要とした門扉のセキュリティシステムに関するものである。
【背景技術】
【０００２】
従来、敷地内への侵入者を防止する対策として様々な試みが為されている。
特許文献１には、手摺の上部に本体カバーとテープスイッチを設け、侵入者が手摺を乗り越えようとして手を掛けた際に本体カバーが押し下げられ、本体カバーによってその下にあるテープスイッチが押圧され、警報装置を作動させた手摺が開示されている。
特許文献２には、フェンス、塀、門扉等の上面にセンサを設け、侵入者がこれら門扉等を乗り越えようとした際に、前記センサが感知して警報装置を作動させた門扉等の外構構成部材が開示されている。
【０００３】
特許文献１に記載されている手摺は、手摺の上部にテープスイッチを内蔵すると共に、テープスイッチを押圧する本体カバーも人が手を掛けた際に上下動する構成としなければならないので、既設の手摺にこのような警報装置を組み込むことが困難なものであった。
【０００４】
特許文献２に記載されている門扉等の外構構成部材によれば、門扉等の上面にセンサを取り付けるだけで済むので、既設の門扉等に簡単に警報装置を取り付けることができる。しかしながら、門扉等の上面にセンサを取り付けているため、このセンサが目視され外観の悪化を招くものである。さらに、センサにより常時監視している状態であれば、人等が通行する際にセンサがこれを感知し、誤報を発する虞を有するものであり、センサによる監視状態を手動操作により解除する必要がある。
【０００５】
【特許文献１】特開２００２−１８０６３４号公報
【特許文献２】特開２００１−０７３５９４号公報
【発明の開示】
【発明が解決しようとする課題】
【０００６】
本発明の目的は、センサ装置による監視状態を門扉の開閉状態に連動することにより、誤報の発生を低減することができ、既設の門扉にも簡単に取り付けることのできる門扉のセキュリティシステムを提供することにある。
【課題を解決するための手段】
【０００７】
本発明者等は、通路部を開閉自在とした扉体により門扉が構成され、該門扉は、送信ユニット、受信ユニット及び作動スイッチからなるセンサ装置と、該センサ装置からの信号により作動する警報装置と、扉体の閉成位置を検出する検出装置とを有し、通路部の両側位置で且つ扉体よりも高い位置に送信ユニットと受信ユニットを配設し、扉体が閉成位置にある場合、検出装置からの門扉閉成信号に基づいて作動スイッチを入状態として扉体の上方位置をセンサ装置による監視状態とし、扉体が閉成位置以外にある場合、作動スイッチを切状態としてセンサ装置による監視状態を解除したことによって、所期の目的を達成したものである。
【０００８】
さらに、検出装置が、被検出体と近接センサによって構成され、被検出体を扉体下部あるいは路面の何れか一方に設け、近接センサを扉体下部あるいは路面の他方に設け、扉体が閉成位置にある場合に被検出体を近接センサによって検出し、門扉閉成信号を作動スイッチに送信することにより、既設の門扉にも簡単に検出装置を設けることができる。
【発明の効果】
【０００９】
本発明の門扉のセキュリティシステムによれば、送信ユニット、受信ユニット及び作動スイッチからなるセンサ装置と、該センサ装置からの信号により作動する警報装置と、扉体の閉成位置を検出する検出装置とを有し、通路部の両側位置で且つ扉体よりも高い位置に送信ユニットと受信ユニットを配設し、扉体が閉成位置にある場合、検出装置からの門扉閉成信号に基づいて作動スイッチを入状態として扉体の上方位置をセンサ装置による監視状態とし、扉体が閉成位置以外にある場合、作動スイッチを切状態としてセンサ装置による監視状態を解除したので、人、車両等の通行を許容している門扉開成状態における誤報を低減することができ、センサ装置による監視状態と非監視状態とに切り替える手間を不要とすることができる。
【発明を実施するための最良の形態】
【００１０】
以下、本発明を実施するための最良の形態を実施例に基づき説明する。
図１乃至図５は本発明門扉のセキュリティシステムの実施例であり、図中１は門扉を表わし、門扉１は、通路部Ｔを開閉自在とした扉体２と、門扉１の戸当り端に位置する戸当り柱３と、通路部Ｔを開成状態とした際に扉体２の移動を規制するストッパー部材Ｓとから構成されている。なお、扉体２は路面に敷設されたレールＲに沿って移動するが、レールＲを必要としない扉体であっても構わない。さらに、本実施例において門扉１は引戸門扉について説明するが、パンタグラフ伸縮機構を有する伸縮門扉であっても構わない。
門扉１の戸当り側と吊元側には、支柱４Ａ，４Ｂを立設している。戸当り側に位置する支柱４Ａは、戸当り柱３の上端に取り付けられており、戸当り柱３の上端を塞いでいたカバー体（不図示）を外して、支柱４Ａの下端を戸当り柱３の内部に嵌入して固定している。
【００１１】
支柱４Ａ，４Ｂの上端は、扉体２よりも高いところに位置しており、センサ装置５の送信ユニット５Ａと受信ユニット５Ｂが、夫々の支柱４Ａ，４Ｂの上端に設けられている。従って、送信ユニット５Ａと受信ユニット５Ｂを結んだ直線上には、扉体２の上端部が位置することはない。なお、送信ユニット５Ａと受信ユニット５Ｂの高さ位置は、扉体２の上端部よりも２０〜５０ｃｍ程度高い位置となっている。送信ユニット５Ａは、受信ユニット５Ｂに向けて赤外線ビームを送信し、受信ユニット５Ｂは、送信ユニット５Ａから送信された赤外線ビームを受信する。そして、赤外線ビームを遮ることにより、送信ユニット５Ａと受信ユニット５Ｂの間に位置する物体の有無を感知する。
支柱４Ｂの内部には、センサ装置５の作動スイッチ６と警報装置７が設けられている。作動スイッチ６はセンサ装置５による監視状態と非監視状態とに切り替え、警報装置７は、センサ装置５が異常を感知した際に、光あるいは音等による警報信号を発する装置である。
【００１２】
扉体２の下方部には、検出装置８が設けられている。検出装置８は、被検出体８Ａと近接センサ８Ｂとから構成されており、扉体２の下側部には被検出体８Ａが設けられ、被検出体８Ａを検出する近接センサ８Ｂが路面に設けられている。近接センサ８Ｂは、扉体２が閉成位置にある場合、被検出体８Ａを検出できる位置に設けられている。
近接センサ８Ｂが被検出体８Ａを検出すると、門扉閉成信号を作動スイッチ６に送信し、作動スイッチ６が入状態となり、センサ装置５が作動して扉体２の上方空間が監視状態となる。一方、扉体２が開成位置に移動して、近接センサ８Ｂが被検出体８Ａを検出できなくなると、作動スイッチ６が切状態となり、扉体２の上方空間の監視状態が解除される。
なお、図中Ｗは塀であり、Ｌは作動スイッチ６と検出装置８を繋ぐ配線を表わす。
【００１３】
以上の構成からなる本発明の門扉のセキュリティシステムについて説明すると、図１、図２は通路部Ｔを扉体２によって閉鎖した門扉１の閉成状態であり、この閉成状態では扉体２に取り付けられた被検出体８Ａは近接センサ８Ｂによって検出され、検出装置８からの門扉閉成信号に基づいて作動スイッチ６が入状態となり、センサ装置５によって扉体２の上方空間が監視状態となる。この時、侵入者が扉体２を乗り越えようとして、送信ユニット５Ａと受信ユニット５Ｂの間を遮ると、警報装置７が作動する。
【００１４】
次に、門扉１を開成状態とすべく扉体２を吊元側に向けて移動すると、扉体２に取り付けられた被検出体８Ａも吊元側に移動する。そうすると、近接センサ８Ｂによる被検出体８Ａの検出ができなくなり、検出装置８からの門扉開成信号に基づいて作動スイッチ６が切状態となり、センサ装置５による監視状態が解除される。センサ装置５による監視状態が解除された状態、即ち門扉１の開成状態においては、通路部Ｔを人、車両等が通行する際に、送信ユニット５Ａと受信ユニット５Ｂの間を遮っても、警報装置７が作動することはない。
【００１５】
上記実施例において、警報装置７は、音あるいは光等を発する構成について説明したが、センサ装置５の感知信号に基づき、予め登録しておいた携帯電話等に自動的に通報する構成としても構わない。
【図面の簡単な説明】
【００１６】
【図１】本発明警報手段を備えた門扉の正面図
【図２】本発明警報手段を備えた門扉の平面図
【図３】本発明警報手段を備えた門扉の側面図
【図４】本発明警報手段を備えた門扉の要部拡大図
【図５】本発明警報手段を備えた門扉のブロック図
【符号の説明】
【００１７】
１      門扉
２      扉体
３      戸当り柱
４，４Ａ，４Ｂ      支柱
５      センサ装置
５Ａ      送信ユニット
５Ｂ      受信ユニット
６      制御装置
７      警報装置
８      検出装置
８Ａ      被検出体
８Ｂ      近接センサ
【図１】
2005301716.tif 000003
【図２】
2005301716.tif 000004
【図３】
2005301716.tif 000005
【図４】
2005301716.tif 000006
【図５】
2005301716.tif 000007